(57)【特許請求の範囲】
【請求項１】
下面に塵埃を吸引する吸込口を有する吸込具本体と、
一端が前記吸込具本体の後方の中央部に取り付けられた接続管と、
前記吸込具本体に設けられており、被清掃面を照射するＬＥＤ素子の発光部からなる第１の照明手段及び第２の照明手段と、を備え、
前記第１の照明手段及び前記第２の照明手段の取り付け位置は、
前記吸込具本体の左右の端部から６０ｍｍ以内で、
かつ、前記吸込具本体の前端部から２０ｍｍ以内で、かつ前記吸込具本体の底面が接する被清掃面から３０ｍｍ以上６０ｍｍ以下の高さとなる位置に配置され、
前記第１の照明手段の光軸と前記第２の照明手段の光軸とが前記吸込具本体の前方で交差するように設けられ、
前記第１の照明手段の光軸と前記第２の照明手段の光軸とがなす角度が６０°以上１２０°以下となるように設置され、かつ、前記第１の照明手段の光軸及び前記第２の照明手段の光軸と被清掃面との成す角度が１５°以上３５°以下となるように設置することで、前記吸込具本体の長手方向の幅の範囲内で吸込具本体の手前から前方にかけての被清掃面を広範囲に照明できるよう構成した電気掃除機用吸込具。
【請求項２】
前記第１の照明手段及び前記第２の照明手段は、前記第１の照明手段の光軸と前記第２の照明手段の光軸とが前記接続管の中心軸に対して線対称となるように設けられている、請求項１に記載の電気掃除機用吸込具。
【請求項３】
前記吸込具本体には、被清掃面を照射するＬＥＤ素子の発光部からなる第３の照明手段及び第４の照明手段が設けられており、前記第３の照明手段は、前記第１の照明手段の外側に設けられており、前記第４の照明手段は、前記第２の照明手段の外側に設けられており、前記第３の照明手段及び前記第４の照明手段は、前記第３の照明手段の光軸と前記第４の照明手段の光軸とが前記吸込具本体の前方で交差するように設けられている、請求項１または２に記載の電気掃除機用吸込具。
【請求項４】
前記第３の照明手段及び前記第４の照明手段は、前記第３の照明手段の光軸と前記第４の照明手段の光軸とが、前記第１の照明手段の光軸と前記第２の照明手段の光軸との交点よ
りも前方で交差するように設けられている、請求項３に記載の電気掃除機用吸込具。
【請求項５】
前記第３の照明手段及び前記第４の照明手段は、前記第３の照明手段の光軸と前記第４の照明手段の光軸とが前記接続管の中心軸に対して線対称となるように設けられている、請求項３または４に記載の電気掃除機用吸込具。
【請求項６】
前記第３の照明手段及び前記第４の照明手段は、前記第３の照明手段の光軸と前記第４の照明手段の光軸とがなす角度が１０°以上４０°以下となるように設置され、かつ、前記第３の照明手段の光軸及び前記第４の照明手段の光軸と被清掃面とが成す角度が１５°以上３５°以下となるように設置されている請求項４または５に記載の電気掃除機用吸込具。
【請求項７】
吸引風を発生させる電動送風機を内蔵する電気掃除機本体と、請求項１〜６のうちの何れか１項に記載の電気掃除機用吸込具と、を備えた電気掃除機。
【発明の詳細な説明】
【技術分野】
【０００１】
本発明は、電気掃除機用吸込具及びそれを用いた電気掃除機に関する。
【背景技術】
【０００２】
従来、この種の吸込具においては、被清掃面上の塵埃の視認性を向上させるべく、吸込具に照明手段を配置した掃除機の吸引ノズルが提案されている。
【０００３】
すなわち、図７に示すように、従来の掃除機の吸引ノズル（図示せず）は、内部にチャンバ（図示せず）が形成されるとともに、底面にチャンバ（図示せず）と連通する吸込口２０１が形成されたハウジング２０２と、ハウジング２０２の後面に取り付けられ、チャンバ（図示せず）と連通する管状のアタッチメント２０３と、ハウジング２０２の前面２０２ａに配置され、ハウジング２０２の前方を照明する一対の照明手段２０４と、を備えている。そして、従来の掃除機の吸引ノズルにおいて、照明手段２０４は、その光軸がハウジング２０２の底面から３０ｍｍ以下の高さに位置し、かつ、ハウジング２０２の底面に対して略平行になるように配置されているとともに、照明手段２０４の照射角度が２５°以下となるように形成されている。
【先行技術文献】
【特許文献】
【０００４】
【特許文献１】登録実用新案第３１３８３２１号公報
【発明の概要】
【発明が解決しようとする課題】
【０００５】
しかしながら、上記従来の掃除機の吸引ノズルにおいては、被清掃面上の塵埃の視認性を向上させるという観点からは未だ改善の余地があった。
【０００６】
すなわち、上記従来の掃除機の吸引ノズルにおいては、照明手段は、１対の照明手段の光軸がハウジングの底面と平行になるとともに、１対の照明手段の光軸が互いに平行にな
るようにハウジングの前面に配置されているため、ハウジングの前方の中央部近傍に位置する被清掃面上に、一対の照明手段から照射された光によって照明されない部分が広範囲に亘って形成されてしまい、この一対の照明手段から照射された光によって照明されない部分に存在する塵埃を１対の照明手段によって照明することができない場合があった。そのため、一対の照明手段から照射された光によって照明されない部分に存在する塵埃を使用者が確実に視認することができず、使用者が一対の照明手段から照射された光によって照明されない部分に存在する塵埃を取り残してしまう場合があった。
【０００７】
本発明は、上記従来技術の有する課題に鑑みてなされたものであり、吸込具の前方の被清掃面上に照明手段からの光によって照明されない部分が形成されることを十分に防止することができ、被清掃面上の塵埃の視認性を向上させることができるとともに、使い勝手を向上させることができる電気掃除機用吸込具及びそれを用いた電気掃除機を提供することを目的とする。
【課題を解決するための手段】
【０００８】
上記従来技術の有する課題を解決するために、本発明は、下面に塵埃を吸引する吸込口を有する吸込具本体と、一端が前記吸込具本体の後方の中央部に取り付けられた接続管と、前記吸込具本体に設けられており、被清掃面を照射するＬＥＤ素子の発光部からなる第１の照明手段及び第２の照明手段と、を備え、前記第１の照明手段及び前記第２の照明手段の取り付け位置は、前記吸込具本体の左右の端部から６０ｍｍ以内で、かつ、前記吸込具本体の前端部から２０ｍｍ以内で、かつ前記吸込具本体の底面が接する被清掃面から３０ｍｍ以上６０ｍｍ以下の高さとなる位置に配置され、前記第１の照明手段の光軸と前記第２の照明手段の光軸とが前記吸込具本体の前方で交差するように設けられ、前記第１の照明手段の光軸と前記第２の照明手段の光軸とがなす角度が６０°以上１２０°以下となるように設置され、かつ、前記第１の照明手段の光軸及び前記第２の照明手段の光軸と被清掃面との成す角度が１５°以上３５°以下となるように設置することで、前記吸込具本体の長手方向の幅の範囲内で吸込具本体の手前から前方にかけての被清掃面を広範囲に照明できるよう構成した電気掃除機用吸込具としたものである。
【０００９】
これにより、第１の照明手段及び第２の照明手段から照射された光によって、吸込具本体の長手方向の幅の範囲内で吸込具本体の手前から前方にかけての被清掃面を広範囲に照明することができるため、吸込具本体の前方の被清掃面上に第１の照明手段または第２の照明手段から照射された光によって照明されない部分が形成されることを十分に防止することができ、被清掃面上の塵埃の視認性を向上させることができるとともに、電気掃除機用吸込具の使い勝手を向上させることができる。
また、第１の照明手段及び第２の照明手段から照射された光が被清掃面で反射し、吸込具本体の前方の被清掃面上に存在する塵埃が視認しにくくなることを十分に防止することができる。
【発明の効果】
【００１０】
本発明の電気掃除機用吸込具によれば、第１の照明手段及び第２の照明手段によって、吸込具の前方の被清掃面を広範囲に照明することができ、被清掃面上の塵埃の視認性を向上させることができるとともに、電気掃除機用吸込具の使い勝手を向上させることができるようになる。
【図面の簡単な説明】
【００１１】
【図１】本発明の実施の形態１における電気掃除機用吸込具を装着した電気掃除機の全体斜視図
【図２】本発明の実施の形態１における電気掃除機用吸込具の全体斜視図
【図３】本発明の実施の形態１における電気掃除機用吸込具の下面図
【図４】本発明の実施の形態１における吸込具本体の部分分解図
【図５】図２に示した電気掃除機用吸込具のＡ−Ａ線での吸込具本体の断面図
【図６】本発明の実施の形態２における吸込具本体の部分断面図
【図７】従来の掃除機の吸引ノズルを示す全体斜視図
【発明を実施するための形態】
【００１２】
第１の発明は、下面に塵埃を吸引する吸込口を有する吸込具本体と、一端が前記吸込具本体の後方の中央部に取り付けられた接続管と、前記吸込具本体に設けられており、被清掃面を照射するＬＥＤ素子の発光部からなる第１の照明手段及び第２の照明手段と、を備え、前記第１の照明手段及び前記第２の照明手段の取り付け位置は、前記吸込具本体の左右の端部から６０ｍｍ以内で、かつ、前記吸込具本体の前端部から２０ｍｍ以内で、かつ前記吸込具本体の底面が接する被清掃面から３０ｍｍ以上６０ｍｍ以下の高さとなる位置に配置され、前記第１の照明手段の光軸と前記第２の照明手段の光軸とが前記吸込具本体の前方で交差するように設けられ、前記第１の照明手段の光軸と前記第２の照明手段の光軸とがなす角度が６０°以上１２０°以下となるように設置され、かつ、前記第１の照明手段の光軸及び前記第２の照明手段の光軸と被清掃面との成す角度が１５°以上３５°以下となるように設置することで、前記吸込具本体の長手方向の幅の範囲内で吸込具本体の手前から前方にかけての被清掃面を広範囲に照明できるよう構成した電気掃除機用吸込具としたものである。
【００１３】
これにより、第１の照明手段及び第２の照明手段から照射された光によって、吸込具本体の長手方向の幅の範囲内で吸込具本体の手前から前方にかけての被清掃面を広範囲に照明することができるため、吸込具本体の前方の被清掃面上に第１の照明手段または第２の照明手段から照射された光によって照明されない部分が形成されることを十分に防止することができ、被清掃面上の塵埃の視認性を向上させることができるとともに、電気掃除機用吸込具の使い勝手を向上させることができる。
また、第１の照明手段及び第２の照明手段から照射された光が被清掃面で反射し、吸込具本体の前方の被清掃面上に存在する塵埃が視認しにくくなることを十分に防止することができる。
【００１４】
第２の発明は、特に、第１の発明において、第１の照明手段及び第２の照明手段は、第１の照明手段の光軸と第２の照明手段の光軸とが接続管の中心軸に対して線対称となるように設けられているものである。
【００１５】
これにより、第１の照明手段の光軸と第２の発明手段の光軸とが吸込具本体の後方の中央部に取付けられた接続管の中心軸上で交差する構成となるため、第１の照明手段及び第２の照明手段から照射された光によって、吸込具本体の前方の被清掃面を広範囲に照明することができ、被清掃面上の塵埃の視認性を向上させることができる。
【００１６】
第３の発明は、特に、第１または第２の発明において、吸込具本体には、被清掃面を照射するＬＥＤ素子の発光部からなる第３の照明手段及び第４の照明手段が設けられており、第３の照明手段は、第１の照明手段の外側に設けられており、第４の照明手段は、第２の照明手段の外側に設けられており、第３の照明手段及び第４の照明手段は、第３の照明手段の光軸と第４の照明手段の光軸とが前記吸込具本体の前方で交差するように設けられているものである。
【００１７】
これにより、吸込具本体の前方の被清掃面のうち、第１の照明手段及び第２の照明手段から照射された光によって照明される領域よりも外側の領域を第３の照明手段及び第４の照明手段から照射される光によって照明することができる。そのため、第１の照明手段、第２の照明手段、第３の照明手段、及び、第４の照明手段によって、吸込具本体の前方の
被清掃面を広範囲に照明することができるため、吸込具本体の前方の被清掃面に第１の照明手段、第２の照明手段、第３の照明手段、または、第４の照明手段から照射された光によって照明されない部分が形成されることをさらに十分に防止することができ、被清掃面上の塵埃の視認性をさらに向上させることができるとともに、電気掃除機用吸込具の使い勝手をさらに向上させることができる。
【００１８】
第４の発明は、特に、第３の発明において、第３の照明手段及び第４の照明手段は、第３の照明手段の光軸と第４の照明手段の光軸とが、第１の照明手段の光軸と第２の照明手段の光軸との交点よりも前方で交差するように設けられているものである。
【００１９】
これにより、第３の照明手段及び第４の照明手段から照射された光によって、吸込具本体の前方の被清掃面のうち、第１の照明手段及び第２の照明手段から照射された光によって照明される領域よりもさらに前方の領域を照明することができる。そのため、第１の照明手段、第２の照明手段、第３の照明手段、及び、第４の照明手段によって、吸込具本体の前方の被清掃面を広範囲に照明することができるため、吸込具本体の前方の被清掃面に第１の照明手段、第２の照明手段、第３の照明手段、または、第４の照明手段から照射された光によって照明されない部分が形成されることをさらに十分に防止することができ、被清掃面上の塵埃の視認性をさらに向上させることができるとともに、電気掃除機用吸込具のさらに使い勝手を向上させることができる。
【００２０】
第５の発明は、特に、第３または第４の発明において、第３の照明手段及び第４の照明手段は、第３の照明手段の光軸と第４の照明手段の光軸とが接続管の中心軸に対して線対称となるように設けられているものである。
【００２１】
これにより、第３の照明手段の光軸と第４の発明手段の光軸とが吸込具本体の後方の中央部に取付けられた接続管の中心軸上で交差する構成となるため、第３の照明手段から照射された光と第４の照明手段から照射された光とを吸込具本体の前方の中央部に集光することができる。そのため、吸込具本体の前方の中央部に位置する被清掃面上に存在する塵埃を第３の照明手段及び第４の照明手段の両方から照射される光によって照明することができるため、吸込具本体の前方の中央部に位置する被清掃面上に存在する塵埃の視認性をさらに向上させることができ、電気掃除機用吸込具の使い勝手を向上させることができる。
【００２２】
第６の発明は、特に、第４または第５の発明において、第３の照明手段及び第４の照明手段は、第３の照明手段の光軸と第４の照明手段の光軸とがなす角度が１０°以上４０°以下となるように設置され、かつ、第３の照明手段の光軸及び第４の照明手段の光軸と被清掃面とが成す角度が１５°以上３５°以下となるように設置されているものである。
【００２３】
これにより、吸込具本体の前方の被清掃面のうち、第１の照明手段及び第２の照明手段から照射された光によって照明される領域以外の領域を第３の照明手段及び第４の照明手段から照射された光によって広範囲に照明することができるとともに、第３の照明手段及び第４の照明手段から照射された光が被清掃面で反射し、吸込具本体の前方の被清掃面上に存在する塵埃が視認しにくくなることを十分に防止することができる。
そのため、吸込具本体の前方の被清掃面上に第１の照明手段、第２の照明手段、第３の照明手段、または、第４の照明手段から照射された光によって照明されない部分が形成されることをさらに十分に防止することができ、被清掃面上の塵埃の視認性をさらに向上させることができるとともに、電気掃除機用吸込具の使い勝手をさらに向上させることができる。
【００２４】
第７の発明は、吸引風を発生させる電動送風機を内蔵する電気掃除機本体と、請求項１
〜６のうちの何れか１項に記載の電気掃除機用吸込具と、を備えた電気掃除機である。
【００２５】
これにより、被清掃面上の塵埃の視認性を向上させることができ、電気掃除機用吸込具の使い勝手を向上させることができるとともに、電気掃除機の使い勝手を向上させることができる。
【００２６】
以下、図面を参照しながら本発明の電気掃除機の好適な実施形態について詳細に説明する。なお、以下の説明では、同一または相当部分には同一符号付し、重複する説明は省略する。
【００２７】
（実施の形態１）
本発明の電気掃除機用吸込具の実施の形態１について、図１〜図５を用いて説明する。
【００２８】
図１は、本発明の実施の形態１における電気掃除機用吸込具を装着した電気掃除機の全体斜視図である。また、図２は、本発明の実施の形態１における電気掃除機用吸込具の全体斜視図である。さらに、図３は、本発明の実施の形態１における電気掃除機用吸込具の下面図である。また、図４は、本発明の実施の形態１における吸込具本体の部分分解図である。さらに、図５は、図２に示した電気掃除機用吸込具のＡ−Ａ線での吸込具本体の断面図である。
【００２９】
図１に示すように、電気掃除機１００は、主として、吸引風を発生させる電動送風機１ａを内蔵する掃除機本体１と、被清掃面の塵埃を吸引する電気掃除機用吸込具２と、一端が掃除機本体１に着脱自在に接続されるホース３と、一端がホース３の他端に着脱自在に接続され、他端が電気掃除機用吸込具２に着脱自在に接続される伸縮自在或いは継ぎ自在の延長管４と、から構成されている。
【００３０】
掃除機本体１には、吸引風を発生させる電動送風機１ａと、電動送風機１ａの上流側に配置されており、電動送風機１ａで発生された吸引風によって吸引された塵埃を捕集する集塵部１ｂと、が内蔵されている。また、掃除機本体１の前部には、集塵部１ｂと連通する吸引口１ｃが形成されている。さらに、掃除機本体１の後方の両側には、一対の走行用の車輪（図示せず）が回動自在に取り付けられている。また、掃除機本体１の下面の前方には、走行用のキャスター（図示せず）が回転自在に取り付けられている。
【００３１】
ホース３は、ホース３の掃除機本体１側の端部に設けられ、掃除機本体１の吸引口１ｃに着脱自在に接続される接続パイプ３ａと、ホース３の延長管４側の端部に設けられ、延長管４と着脱自在に接続されるとともに、使用者が掃除する際に保持する把手部３ｂを有する先端パイプ３ｃと、を有している。
【００３２】
図２〜図４に示すように、電気掃除機用吸込具２は、主として、下面に塵埃を吸引する吸込口５ａを有する吸込具本体５と、吸込具本体５の後方の中央部に着脱自在に接続される補助吸込具６と、補助吸込具６の後部に回動自在に取付けられた接続管７と、から構成されている。なお、本実施の形態においては、電気掃除機用吸込具２が、吸込具本体５に着脱自在に接続される補助吸込具６を有し、この補助吸込具６に接続管７が回動自在に取り付けられている構成について説明するが、電気掃除機用吸込具２は、主として、吸込具本体５と、接続管７と、から構成され、接続管７が吸込具本体５の後方の中央部に回動自在に取り付けられている構成であってもよい。
【００３３】
補助吸込具６の下面には、吸込具本体５から補助吸込具６が取り外された状態において、被清掃面の塵埃を吸引する開口部（図示せず）が形成されており、この開口部（図示せず）は、吸込具本体５に補助吸込具６が取付けられた状態において、吸込具本体５の吸込
口５ａと連通するように構成されている。また、補助吸込具６の側面には、後述する着脱操作部１１の係合部１１ｂと係合する被係合部（図示せず）が形成されている。さらに、補助吸込具６の後部には、開口部（図示せず）と連通する接続管７が回動自在に取り付けられている。
【００３４】
接続管７は、一端が補助吸込具６の後部に回動自在に取り付けられる第１の接続管部７ａと、一端が第１の接続管部７ａの他端に回動自在に取り付けられるとともに、他端に延長管４が着脱自在に取り付けられる第２の接続管部７ｂと、から構成されている。第１の接続管部７ａは、吸込具本体５の左右方向、すなわち、吸込具本体５の長手方向に回動自在となるように補助吸込具６の後部に取り付けられている。また、第２の接続管部７ｂは、被清掃面に対して高低方向、すなわち、吸込具本体５の上下方向に回動自在となるように第１の接続管部７ａの他端に取り付けられている。
【００３５】
吸込具本体５は、吸込具本体５の吸込口５ａに臨むように吸込具本体５に配置され、被清掃面の塵埃を掻きあげる回転ブラシ８と、吸込具本体５の後部に配置され、回転ブラシ８を回転駆動する電動機９と、回転ブラシ８と電動機９とを連結するベルト１０と、を内蔵している。
【００３６】
吸込具本体５の後部には、吸込具本体５の後部の中央部に補助吸込具６を着脱自在に保持する着脱操作部１１が配置されている。着脱操作部１１は、使用者が吸込具本体５から補助吸込具６を取り外す際に操作する操作部１１ａと、補助吸込具６に設けられた被係合部（図示せず）と係合し、補助吸込具６を吸込具本体５の後部の中央部に保持する係合部１１ｂと、操作部１１ａの動作に連動して補助吸込具６を吸込具本体５の上方へと押し上げる押上部１１ｃと、から構成されている。そして、着脱操作部１１は、使用者により操作部１１ａが下方へと押し下げされると、係合部１１ｂと被係合部（図示せず）との係合が解除するとともに、押上部１１ｃによって補助吸込具６を吸込具本体５の上方へと押し上げ、補助吸込具６を吸込具本体５から取り外すように構成されている。
【００３７】
図４及び図５に示すように、吸込具本体５の前部には、吸込具本体５の前方を照射する第１の照明手段１２及び第２の照明手段１３と、第１の照明手段１２及び第２の照明手段１３から照射された光を吸込具本体５の前方に透過させる窓部材１４と、が配置されている。
【００３８】
図４に示すように、第１の照明手段１２及び第２の照明手段１３は、第１の照明手段１２の光軸Ｐ１と接続管７の中心軸Ｐ０とが吸込具本体５の前方で交差するとともに、第２の照明手段１３の光軸Ｐ２と接続管７の中心軸Ｐ０とが吸込具本体５の前方で交差するようにそれぞれ所定角度傾斜させて配置されており、第１の照明手段１２の光軸Ｐ１と第２の照明手段の光軸Ｐ２とが吸込具本体５の前方で交差するように吸込具本体５の前部に配置されている。
【００３９】
ここで、第１の照明手段１２及び第２の照明手段１３は、第１の照明手段１２の光軸Ｐ１と第２の照明手段１３の光軸Ｐ２とが接続管７の中心軸Ｐ０に対して線対称となるように、すなわち、第１の照明手段１２及び第２の照明手段１３の接続管７の中心軸Ｐ０からの距離が同一距離となるように、吸込具本体５の前部にそれぞれ配置されていることが好ましい。この構成により、第１の照明手段１２の光軸Ｐ１と第２の照明手段１３の光軸Ｐ２とが吸込具本体５の前方の接続管７の中心軸Ｐ０上で交差することになり、第１の照明手段１２から照射された光と第２の照明手段１３から照射された光とを吸込具本体５の前方の中央部に集光することができる。そのため、吸込具本体５の前方の中央部に位置する被清掃面上に存在する塵埃を第１の照明手段１２及び第２の照明手段１３の両方から照射される光によって照明することができるため、吸込具本体５の前方の中央部に位置する被
清掃面上に存在する塵埃の視認性を向上させることができる。
【００４０】
また、第１の照明手段１２及び第２の照明手段１３は、第１の照明手段１２の光軸Ｐ１と第２の照明手段１３の光軸Ｐ２とがなす角度Ｘ１が６０°≦Ｘ１≦１２０°となるように吸込具本体５の前部に配置されていることが好ましく、さらに好ましくは、第１の照明手段１２の光軸Ｐ１と第２の照明手段１３の光軸Ｐ２とがなす角度Ｘ１が８０°≦Ｘ１≦１００°となるように吸込具本体５の前部に配置されていることが好ましい。
【００４１】
以下、第１の照明手段１２の光軸Ｐ１と第２の照明手段１３の光軸Ｐ２とがなす角度Ｘ１について、実験より導き出した結果について説明する。
【００４２】
実験は、吸込具本体５の前方の被清掃面上のうち、吸込具本体５の長手方向の幅Ｗの範囲内で、かつ、吸込具本体５の前端部からの距離Ｈが０ｍｍ以上５００ｍｍ以下の範囲内にある被清掃面を測定領域Ｙとし、この測定領域Ｙにおいて、第１の照明手段１２から照射された光、または、第２の照明手段１３から照射された光が当たらない領域（以下、「暗部領域」という）が測定領域Ｙの面積に占める割合を計測して行った。また、実験は、第１の照明手段１２の光軸Ｐ１と第２の照明手段１３の光軸Ｐ２とがなす角度Ｘ１を０°≦Ｘ１＜１８０°の範囲内で０°から５°間隔で変化させて行った。さらに、実験に使用した第１の照明手段１２及び第２の照明手段１３は、第１の照明手段１２の光軸Ｐ１及び第２の照明手段１３の光軸Ｐ２での光度が最も大きいＬＥＤ素子で、第１の照明手段１２の光軸Ｐ１及び第２の照明手段１３の光軸Ｐ２での光度が８〜１８カンデラであるＬＥＤ素子を使用した。また、第１の照明手段１２及び第２の照明手段１３は、半値角Ｘ０が１５°以上６５°以下の範囲にあるＬＥＤ素子を使用し、半値角Ｘ０を５°間隔で変化させて実験を行った。さらに、第１の照明手段１２及び第２の照明手段１３は、半値角及び光度が同一のＬＥＤ素子を使用した。また、吸込具本体５は、吸込具本体５の長手方向の幅Ｗを２５０ｍｍ以上３００ｍｍ以下の範囲にあるものを使用した。さらに、第１の照明手段１２及び第２の照明手段１３の取り付け位置は、第１の照明手段１２及び第２の照明手段１３として使用したＬＥＤ素子の発光部（図示せず）の位置が吸込具本体５の左右の端部から６０ｍｍ以内で、かつ、吸込具本体５の前端部から２０ｍｍ以内となる範囲内で変化させて実験を行った。ここで、本実施の形態における半値角とは、第１の照明手段１２の光軸Ｐ１及び第２の照明手段１３の光軸Ｐ２上での明るさを１００％とした場合に、この明るさの５０％の明るさとなる角度であり、図４中の矢印Ｘ０で示す角度をいう。
【００４３】
第１の照明手段１２の光軸Ｐ１と第２の照明手段１３の光軸Ｐ２とがなす角度Ｘ１をＸ１＜６０°に設定した場合、特に、測定領域Ｙにおいて、吸込具本体５の前端部に近い吸込具本体５の前方の中央部に暗部領域が形成されてしまい、測定領域Ｙにおいて、４０％以上の領域に暗部領域が形成されてしまった。そのため、測定領域Ｙに形成された暗部領域内に存在する塵埃を確実に視認することができず、測定領域Ｙ内での塵埃の視認性が低下してしまい、測定領域Ｙ内の塵埃を取り残してしまう場合があった。
【００４４】
また、第１の照明手段１２の光軸Ｐ１と第２の照明手段１３の光軸Ｐ２とがなす角度Ｘ１をＸ１＞１２０°に設定した場合、特に、吸込具本体５の前端部から遠い位置に暗部領域が形成されてしまい、測定領域Ｙにおいて、４０％以上の領域に暗部領域が形成されてしまった。そのため、測定領域Ｙに形成された暗部領域内に存在する塵埃を確実に視認することができず、測定領域Ｙ内での塵埃の視認性が低下してしまい、測定領域Ｙ内の塵埃を取り残してしまう場合があった。
【００４５】
一方、第１の照明手段１２の光軸Ｐ１と第２の照明手段１３の光軸Ｐ２とがなす角度Ｘ１を６０°≦Ｘ１≦１２０°に設定した場合、測定領域Ｙに形成される暗部領域の割合を４０％未満に抑えることができ、第１の照明手段１２及び第２の照明手段１３から照射さ
れた光によって測定領域Ｙの広範囲を照明することができた。そのため、測定領域Ｙでの塵埃の視認性を向上させることができ、測定領域Ｙにおける塵埃の取り残しを十分に防止することができた。また、第１の照明手段１２の光軸Ｐ１と第２の照明手段１３の光軸Ｐ２とがなす角度Ｘ１を８０°≦Ｘ１≦１００°に設定した場合においては、測定領域Ｙに形成される暗部領域の割合を３０％未満に抑えることができ、第１の照明手段１２及び第２の照明手段１３から照射された光によってさらに測定領域Ｙの広範囲を照明することができた。そのため、測定領域Ｙでの塵埃の視認性をさらに向上させることができ、測定領域Ｙにおける塵埃の取り残しをさらに十分に防止することができた。
【００４６】
以上より、第１の照明手段１２及び第２の照明手段１３は、第１の照明手段１２の光軸Ｐ１と第２の照明手段１３の光軸Ｐ２とがなす角度Ｘ１が６０°≦Ｘ１≦１２０°となるように吸込具本体５の前部に配置されていることが好ましく、さらに好ましくは、第１の照明手段１２の光軸Ｐ１と第２の照明手段１３の光軸Ｐ２とがなす角度Ｘ１が８０°≦Ｘ１≦１００°となるように吸込具本体５の前部に配置されていることが好ましい。
【００４７】
また、図５に示すように、第１の照明手段１２及び第２の照明手段１３は、第１の照明手段１２の光軸Ｐ１及び第２の照明手段１３の光軸Ｐ２と被清掃面とが交差するように、第１の照明手段１２の光軸Ｐ１及び第２の照明手段１３の光軸Ｐ２が被清掃面に対して角度Ｘ２傾斜するように配置されていることが好ましい。この構成により、第１の照明手段１２及び第２の照明手段１３から照射された光によって吸込具本体５の前方の被清掃面を広範囲に照明することができるため、吸込具本体５の前方の被清掃面上に第１の照明手段１２または第２の照明手段１３から照射された光によって照明されない部分が形成されることを十分に防止することができ、被清掃面上の塵埃の視認性を向上させることができる。
【００４８】
ここで、第１の照明手段１２及び第２の照明手段１３は、第１の照明手段１２の光軸Ｐ１及び第２の照明手段１３の光軸Ｐ２と被清掃面とがなす角度Ｘ２が、１５°≦Ｘ２≦３５°となるように吸込具本体５の前部に配置されていることが好ましい。
【００４９】
以下、第１の照明手段１２の光軸Ｐ１及び第２の照明手段１３の光軸Ｐ２と被清掃面とがなす角度Ｘ２について、実験より導き出した結果について説明する。なお、上述した第１の照明手段１２の光軸Ｐ１と第２の照明手段１３の光軸Ｐ２とがなす角度Ｘ１に関する実験と同一部分または相当する部分については、説明を省略する。
【００５０】
実験は、上述した第１の照明手段１２の光軸Ｐ１と第２の照明手段１３の光軸Ｐ２とがなす角度Ｘ１に関する実験と同様に、測定領域Ｙにおいて、第１の照明手段１２から照射された光、または、第２の照明手段１３から照射された光が当たらない領域（以下、「暗部領域」という）が測定領域Ｙの面積に占める割合を計測して行った。また、実験は、被清掃面を木床とし、第１の照明手段１２の光軸Ｐ１及び第２の照明手段１３の光軸Ｐ２と被清掃面とがなす角度Ｘ２を０°≦Ｘ２＜９０°未満の範囲内で０°から５°間隔で変化させて行った。さらに、実験は、第１の照明手段１２及び第２の照明手段１３を吸込具本体５の前部に取り付ける高さを、第１の照明手段１２及び第２の照明手段１３として使用したＬＥＤ素子の発光部（図示せず）の位置が被清掃面から３０ｍｍ以上６０ｍｍ以下の高さとなる範囲内で変化させて行った。また、上述した第１の照明手段１２の光軸Ｐ１と第２の照明手段１３の光軸Ｐ２とがなす角度Ｘ１に関する実験と同様に、第１の照明手段１２及び第２の照明手段１３は、第１の照明手段１２の光軸Ｐ１及び第２の照明手段１３の光軸Ｐ２での光度が８〜１８カンデラであるＬＥＤ素子を使用した。さらに、上述した第１の照明手段１２の光軸Ｐ１と第２の照明手段１３の光軸Ｐ２とがなす角度Ｘ１に関する実験と同様に、第１の照明手段１２の光軸Ｐ１と第２の照明手段１３の光軸Ｐ２とがなす角度Ｘ１、第１の照明手段１２及び第２の照明手段１３の半値角、及び、第１の照明手
段１２及び第２の照明手段１３の取り付け位置を変化させて実験を行った。また、第１の照明手段１２及び第２の照明手段１３は、同一の高さに取り付けるとともに、同一の光度及び半値角を有するＬＥＤ素子を使用した。
【００５１】
第１の照明手段１２の光軸Ｐ１及び第２の照明手段１３の光軸Ｐ２と被清掃面とがなす角度Ｘ２をＸ２＜１５°に設定した場合、特に、測定領域Ｙにおいて、吸込具本体５の前端部に近い吸込具本体５の前方の中央部に暗部領域が形成されてしまい、測定領域Ｙにおいて、４０％以上の領域に暗部領域が形成されてしまった。そのため、測定領域Ｙに形成された暗部領域内に存在する塵埃を確実に視認することができず、測定領域Ｙ内での塵埃の視認性が低下してしまい、測定領域Ｙ内の塵埃を取り残してしまう場合があった。
【００５２】
また、第１の照明手段１２の光軸Ｐ１及び第２の照明手段１３の光軸Ｐ２と被清掃面とがなす角度Ｘ２をＸ２＞３５°に設定した場合、特に、吸込具本体５の前端部から遠い位置に暗部領域が形成されてしまい、測定領域Ｙにおいて、４０％以上の領域に暗部領域が形成されてしまった。そのため、測定領域Ｙに形成された暗部領域内に存在する塵埃を確実に視認することができず、測定領域Ｙ内での塵埃の視認性が低下してしまい、測定領域Ｙ内の塵埃を取り残してしまう場合があった。また、測定領域Ｙにおける第１の照明手段１２及び第２の照明手段１３から照射された光によって照明されている領域において、第１の照明手段１２及び第２の照明手段１３から照射された光が被清掃面で反射されてしまい、第１の照明手段１２及び第２の照明手段１３から照射された光によって照明されている領域内にある塵埃を確実に視認できない場合があった。そのため、測定領域Ｙ内での塵埃の視認性が低下してしまい、測定領域Ｙ内の塵埃を取り残してしまう場合があった。
【００５３】
一方、第１の照明手段１２の光軸Ｐ１及び第２の照明手段１３の光軸Ｐ２と被清掃面とがなす角度Ｘ２を１５°≦Ｘ２≦３５°の範囲で設定した場合、測定領域Ｙに形成される暗部領域の割合を４０％未満に抑えることができ、第１の照明手段１２及び第２の照明手段１３から照射された光によって測定領域Ｙの広範囲を照明することができた。そのため、測定領域Ｙでの塵埃の視認性を向上させることができ、測定領域Ｙにおける塵埃の取り残しを十分に防止することができた。また、第１の照明手段１２の光軸Ｐ１と第２の照明手段１３の光軸Ｐ２とがなす角度Ｘ１を６０°≦Ｘ１≦１２０°に設定し、かつ、第１の照明手段１２の光軸Ｐ１及び第２の照明手段１３の光軸Ｐ２と被清掃面とがなす角度Ｘ２を１５°≦Ｘ２≦３５°に設定した場合、測定領域Ｙに形成される暗部領域の割合を３０％未満に抑えることができ、第１の照明手段１２及び第２の照明手段１３から照射された光によって測定領域Ｙの広範囲を照明することができた。そのため、測定領域Ｙでの塵埃の視認性をさらに向上させることができ、測定領域Ｙにおける塵埃の取り残しをさらに十分に防止することができた。
【００５４】
以上より、第１の照明手段１２及び第２の照明手段１３は、第１の照明手段１２の光軸Ｐ１及び第２の照明手段１３の光軸Ｐ２と被清掃面とが交差する角度Ｘ２が１５°≦Ｘ２≦３５°の範囲で設定されていることが好ましい。また、第１の照明手段１２及び第２の照明手段１３は、第１の照明手段１２の光軸Ｐ１と第２の照明手段１３の光軸Ｐ２とが吸込具本体５の前方で交差し、かつ、第１の照明手段１２の光軸Ｐ１及び第２の照明手段１３の光軸Ｐ２と被清掃面と吸込具本体５の前方で交差していることがさらに好ましく、さらに好ましくは、第１の照明手段１２及び第２の照明手段１３は、第１の照明手段１２の光軸Ｐ１と第２の照明手段１３の光軸Ｐ２とがなす角度Ｘ１が６０°≦Ｘ１≦１２０°で、かつ、第１の照明手段１２の光軸Ｐ１及び第２の照明手段１３の光軸Ｐ２と被清掃面とが交差する角度Ｘ２が１５°≦Ｘ２≦３５°となるように配置されていることが好ましい。
【００５５】
以上のように構成された電気掃除機用吸込具２及びこの電気掃除機用吸込具２を備えた
電気掃除機１００について、以下、その動作及び作用を説明する。
【００５６】
使用者が掃除機本体１にホース３、延長管４、及び、電気掃除機用吸込具２を接続し、電気掃除機１００の運転を開始すると、電動送風機１ａで吸引風が発生されるとともに、電動機９によって回転ブラシ８が回転駆動される。この状態で、使用者が電気掃除機用吸込具２を被清掃面上で移動させると、被清掃面上の塵埃が回転ブラシ８によって掻きあげられるとともに、電動送風機１ａで発生された吸引風によって、被清掃面上の塵埃が電気掃除機用吸込具２に形成された吸込口５ａから吸引される。電気掃除機用吸込具２の吸込口５ａから吸引された塵埃は、吸込具本体５、接続管７、延長管４、及び、ホース３を介して、掃除機本体１の前部に形成された吸引口１ｃから掃除機本体１の内部へと流入し、集塵部１ｂで塵埃が捕集される。
【００５７】
このとき、使用者により第１の照明手段１２及び第２の照明手段１３が点灯されると、第１の照明手段１２及び第２の照明手段１３から照射された光によって、吸込具本体５の前方の被清掃面が広範囲に亘って照明される。ここで、第１の照明手段１２及び第２の照明手段１３は、使用者が電気掃除機１００の運転を開始した際に自動的に点灯されるように構成されていてもよく、また、電気掃除機用吸込具２や把手部３ｂに第１の照明手段１２及び第２の照明手段１３を点灯するためのスイッチ（図示せず）を形成し、この操作部が使用者により操作された際に、第１の照明手段１２及び第２の照明手段１３が点灯するように構成されていてもよい。
【００５８】
使用者により第１の照明手段１２及び第２の照明手段１３が点灯され、第１の照明手段１２及び第２の照明手段１３から照射された光によって、吸込具本体５の前方の被清掃面が照明されると、第１の照明手段１２及び第２の照明手段１３から照射された光が吸込具本体５の前方の被清掃面上に存在する塵埃に照射され、被清掃面上に塵埃の影が発生する。被清掃面上に発生した塵埃の影は、実際の塵埃の大きさよりも大きなものとなるため、通常、使用者の肉眼では視認することが困難な大きさの塵埃についても、使用者の肉眼で視認することが可能となる。
【００５９】
本実施の形態においては、第１の照明手段１２の光軸Ｐ１と第２の照明手段１３の光軸Ｐ２とが吸込具本体５の前方で交差するように構成されているため、吸込具本体５の前方の被清掃面を広範囲に亘って照明することができる。そのため、吸込具本体５の前方の被清掃面上に第１の照明手段１２または第２の照明手段１３から照射された光によって照明されない部分が形成されることを十分に防止することができるため、使用者が被清掃面上の塵埃を容易に視認することができ、電気掃除機用吸込具２及び電気掃除機１００の使い勝手を向上させることができる。また、吸込具本体５の前方の被清掃面のうち、第１の照明手段１２から照射される光と第２の照明手段１３から照射される光との両方によって照明される領域においては、第１の照明手段１２の光によって照明される方向と第２の照明手段１３の光によって照明される方向との両方向に塵埃の影を発生させることができる。そのため、吸込具本体５の前方の被清掃面のうち、第１の照明手段１２から照射される光と第２の照明手段１３から照射される光との両方によって照明される領域においては、吸込具本体５の前方の被清掃面のうち、第１の照明手段１２から照射される光、または、第２の照明手段１３から照射される光の何れか一方のみで照射される領域に比べ、被清掃面上に存在する塵埃の視認性を向上させることができる。
【００６０】
また、本実施の形態においては、第１の照明手段１２の光軸Ｐ１及び第２の照明手段１３の光軸Ｐ２と被清掃面とが交差するように構成されているため、吸込具本体５の前方の被清掃面を広範囲に亘って照明することができる。そのため、吸込具本体５の前方の被清掃面上に第１の照明手段１２または第２の照明手段１３から照射された光によって照明されない部分が形成されることを十分に防止することができるため、被清掃面上の塵埃の視
認性を向上させることができ、電気掃除機用吸込具２及び電気掃除機１００の使い勝手を向上させることができる。
【００６１】
さらに、本実施の形態においては、第１の照明手段１２の光軸Ｐ１と第２の照明手段１３の光軸Ｐ２とがなす角度Ｘ１が６０°≦Ｘ１≦１２０°となるように構成されているとともに、第１の照明手段１２の光軸Ｐ１及び第２の照明手段１３の光軸Ｐ２と被清掃面とがなす角度Ｘ２が１５°≦Ｘ２≦３５°となるように構成されているため、吸込具本体５の前方の被清掃面を広範囲に亘って照明することができ、吸込具本体５の前方の被清掃面上に第１の照明手段１２または第２の照明手段１３から照射された光によって照明されない部分が形成されることを十分に防止することができる。また、吸込具本体５の前方の被清掃面のうち、第１の照明手段１２または第２の照明手段１３によって照明されている領域において、第１の照明手段１２及び第２の照明手段１３から照射された光が被清掃面で反射され、反射された光が使用者の目に向かうことを十分に防止することができる。そのため、吸込具本体５の前方の被清掃面上に存在する塵埃の視認性を向上させることができ、電気掃除機用吸込具２及び電気掃除機１００の使い勝手を向上させることができる。
【００６２】
（実施の形態２）
本発明の実施の形態２について、図６を用いて説明する。なお、上述した実施の形態１と同一構成部品については同一符号を付して、その説明を省略する。
【００６３】
図６は、本発明の実施の形態２における吸込具本体の部分断面図である。
【００６４】
図６に示すように、吸込具本体５の前部には、吸込具本体５の前方を照射する第１の照明手段１２、第２の照明手段１３、第３の照明手段１５、及び、第４の照明手段１６と、第１の照明手段１２、第２の照明手段１３、第３の照明手段１５、及び、第４の照明手段１６から照射された光を吸込具本体５の前方に透過させる窓部材１４と、が配置されている。
【００６５】
図６に示すように、第１の照明手段１２及び第２の照明手段１３は、第１の照明手段１２の光軸Ｐ１と接続管７の中心軸Ｐ０とが吸込具本体５の前方で交差するとともに、第２の照明手段１３の光軸Ｐ２と接続管７の中心軸Ｐ０とが吸込具本体５の前方で交差するように吸込具本体５の前部にそれぞれ配置されており、第１の照明手段１２の光軸Ｐ１と第２の照明手段１３の光軸Ｐ２とが吸込具本体５の前方で交差するように吸込具本体５の前部に配置されている。
【００６６】
また、図６に示すように、第３の照明手段１５及び第４の照明手段１６は、第１の照明手段１２及び第２の照明手段１３の外側にそれぞれ配置されている。また、第３の照明手段１５及び第４の照明手段１６は、第３の照明手段１５の光軸Ｐ３と接続管７の中心軸Ｐ０と吸込具本体５の前方で交差するとともに、第４の照明手段１６の光軸Ｐ４と接続管７の中心軸Ｐ０とが吸込具本体５の前方で交差するように、それぞれ所定角度傾斜させて配置されており、第３の照明手段１５の光軸Ｐ３と第４の照明手段１６の光軸Ｐ４とが吸込具本体５の前方で交差するように配置されている。
【００６７】
ここで、第１の照明手段１２及び第２の照明手段１３は、第１の照明手段１２の光軸Ｐ１と第２の照明手段１３の光軸Ｐ２とが接続管７の中心軸Ｐ０で線対称となるように、すなわち、第１の照明手段１２及び第２の照明手段１３の接続管７の中心軸Ｐ０からの距離が同一距離となるように、吸込具本体５の前部にそれぞれ配置されていることが好ましい。また、第３の照明手段１５及び第４の照明手段１６は、第３の照明手段１５の光軸Ｐ３と第４の照明手段１６の光軸Ｐ４とが接続管７の中心軸Ｐ０で線対称となるように、すなわち、第３の照明手段１５及び第４の照明手段１６の接続管７の中心軸Ｐ０からの距離が
同一距離となるように、吸込具本体５の前部にそれぞれ配置されていることが好ましい。この構成により、第１の照明手段１２の光軸Ｐ１と第２の照明手段１３の光軸Ｐ２とが吸込具本体５の前方の接続管７の中心軸Ｐ０上で交差するとともに、第３の照明手段１５の光軸Ｐ３と第４の照明手段１６の光軸Ｐ４とが吸込具本体５の前方の接続管７の中心軸Ｐ０上で交差することになる。そのため、第１の照明手段１２、第２の照明手段１３、第３の照明手段１５、及び、第４の照明手段１６から照射された光を吸込具本体５の前方の中央部に位置する被清掃面上に集光することができるため、吸込具本体５の前方の中央部に位置する被清掃面上に存在する塵埃を第１の照明手段１２、第２の照明手段１３、第３の照明手段１５、及び、第４の照明手段１６から照射される光によって照明することができ、吸込具本体５の前方の中央部に位置する被清掃面上に存在する塵埃の視認性を向上させることができる。
【００６８】
また、第３の照明手段１５及び第４の照明手段１６は、第３の照明手段１５の光軸Ｐ３と第４の照明手段１６の光軸Ｐ４とが、第１の照明手段１２の光軸Ｐ１と第２の照明手段１３の光軸Ｐ２との交点よりも前方で交差するように構成されていることが好ましい。この構成により、吸込具本体５の前方の被清掃面のうち、第１の照明手段１２及び第２の照明手段１３から照射された光によって照明されている領域よりもさらに前方の領域を、第３の照明手段１５及び第４の照明手段１６から照射された光によって照明することができる。また、吸込具本体５の前方の被清掃面のうち、第１の照明手段１２及び第２の照明手段１３から照射された光によって照明されていない領域を、第３の照明手段１５及び第４の照明手段１６から照射された光によって照明することができる。そのため、第１の照明手段１２、第２の照明手段１３、第３の照明手段１５、及び、第４の照明手段１６によって、吸込具本体５の前方の被清掃面を広範囲に照明することができるため、吸込具本体５の前方の被清掃面に、第１の照明手段１２、第２の照明手段１３、第３の照明手段１５、または、第４の照明手段１６から照射された光によって照明されない部分が形成されることをさらに十分に防止することができ、被清掃面上の塵埃の視認性をさらに向上させることができる。
【００６９】
さらに、第３の照明手段１５及び第４の照明手段１６は、第３の照明手段１５の光軸Ｐ３と第４の照明手段１６の光軸Ｐ４とがなす角度Ｘ３が１０°≦Ｘ３≦４０°となるように吸込具本体５の前部に配置されていることが好ましい。
【００７０】
以下、第３の照明手段１５の光軸Ｐ３と第４の照明手段１６の光軸Ｐ４とがなす角度Ｘ３について、実験より導き出した結果について説明する。なお、上述した実施の形態１における第１の照明手段１２の光軸Ｐ１と第２の照明手段１３の光軸Ｐ２とがなす角度Ｘ１に関する実験と同一部分または相当する部分については、説明を省略する。
【００７１】
実験は、上述した実施の形態１における第１の照明手段１２の光軸Ｐ１と第２の照明手段１３の光軸Ｐ２とがなす角度Ｘ１に関する実験と同様に、測定領域Ｙにおいて、第１の照明手段１２から照射された光、または、第２の照明手段１３から照射された光が当たらない領域（以下、「暗部領域」という）が測定領域Ｙの面積に占める割合を計測して行った。また、実験は、第１の照明手段１２の光軸Ｐ１と第２の照明手段１３の光軸Ｐ２とがなす角度Ｘ１を６０°≦Ｘ２≦１２０°の範囲で５°間隔で変化させるとともに、第３の照明手段１５の光軸Ｐ３と第４の照明手段１６の光軸Ｐ４とがなる角度Ｘ３を０°≦Ｘ３＜１８０°の範囲で０°から５°間隔で変化させて行った。さらに、実験は、第３の照明手段１５及び第４の照明手段１６を第１の照明手段１２及び第２の照明手段に配置して行うとともに、第３の照明手段１５及び第４の照明手段１６として使用したＬＥＤ素子の発光部（図示せず）の位置が吸込具本体５の左右の端部から５０ｍｍ以内で、かつ、吸込具本体５の前端部から２０ｍｍ以内となる範囲内で変化させて実験を行った。また、上述した実施の形態１における第１の照明手段１２の光軸Ｐ１と第２の照明手段１３の光軸Ｐ２
とがなす角度Ｘ１に関する実験と同様に、第１の照明手段１２、第２の照明手段１３、第３の照明手段１５、及び、第４の照明手段１６の半値角を変化させて実験を行った。さらに、少なくとも、第１の照明手段１２と第２の照明手段１３、第３の照明手段１５と第４の照明手段１６、とは、半値角、光度、及び、取り付け位置が同一となるようにした。
【００７２】
第３の照明手段１５の光軸Ｐ３と第４の照明手段１６の光軸Ｐ４とがなす角度Ｘ３をＸ３＜１０°とした場合、及び、第３の照明手段１５の光軸Ｐ３と第４の照明手段１６の光軸Ｐ４とがなす角度Ｘ３をＸ３＞４０°とした場合、第１の照明手段１２の光軸Ｐ１と第２の照明手段１３の光軸Ｐ２とがなす角度Ｘ１を６０°≦Ｘ１≦１２０°となるように設定しているため、測定領域Ｙに形成される暗部領域の割合を４０％未満に抑えることはできるものの、測定領域Ｙに形成される暗部領域の割合を３０％未満に抑えることができなかった。そのため、第１の照明手段１２の光軸Ｐ１と第２の照明手段１３の光軸Ｐ２とがなす角度Ｘ１のみを６０°≦Ｘ１≦１２０°の範囲で設定した場合に比べ、測定領域Ｙに形成された暗部領域を低減することができず、測定領域Ｙ内での塵埃の視認性を向上させることができなかった。
【００７３】
一方、第３の照明手段１５の光軸Ｐ３と第４の照明手段１６の光軸Ｐ４とがなす角度Ｘ３を１０°≦Ｘ３≦４０°とした場合、測定領域Ｙに形成される暗部領域の割合を３０％未満に抑えることができた。そのため、第１の照明手段１２の光軸Ｐ１と第２の照明手段１３の光軸Ｐ２とがなす角度Ｘ１のみを６０°≦Ｘ１≦１２０°の範囲で設定した場合に比べ、測定領域Ｙに形成された暗部領域を低減することができ、第１の照明手段１２、第２の照明手段１３、第３の照明手段１５、及び、第４の照明手段１６から照射された光によって測定領域Ｙの広範囲を照明することができたとともに、測定領域Ｙでの塵埃の視認性をさらに向上させることができた。
【００７４】
以上より、第３の照明手段１５及び第４の照明手段１６は、第１の照明手段１２及び第２の照明手段１３の外側にそれぞれ配置されているとともに、第１の照明手段１２の光軸Ｐ１と第２の照明手段１３の光軸Ｐ２とが交差する交点よりも前方で第３の照明手段１５の光軸Ｐ３と第４の照明手段１６の光軸Ｐ４とが交差するように構成されていることが好ましく、さらに好ましくは、第１の照明手段１２及び第２の照明手段１３は、第１の照明手段１２の光軸Ｐ１と第２の照明手段１３の光軸Ｐ２とがなす角度Ｘ１が６０°≦Ｘ１≦１２０°で、かつ、第３の照明手段１５の光軸Ｐ３と第４の照明手段１６の光軸Ｐ４とが交差する角度Ｘ３が１０°≦Ｘ３≦４０°となるように配置されていることが好ましい。
【００７５】
また、上述した実施の形態１と同様に、第３の照明手段１５及び第４の照明手段１６は、第３の照明手段１５の光軸Ｐ３及び第４の照明手段１６の光軸Ｐ４と被清掃面とが交差するように、第３の照明手段１５の光軸Ｐ３及び第４の照明手段１６の光軸Ｐ４が被清掃面に対して角度Ｘ４傾斜するように配置されていることが好ましい。この構成により、第３の照明手段１５及び第４の照明手段１６から照射された光によって吸込具本体５の前方の被清掃面を広範囲に照明することができるため、吸込具本体５の前方の被清掃面上に第１の照明手段１２、第２の照明手段１３、第３の照明手段１５、または、第４の照明手段１６から照射された光によって照明されない部分が形成されることを十分に防止することができ、被清掃面上の塵埃の視認性を向上させることができる。
【００７６】
ここで、第３の照明手段１５及び第４の照明手段１６は、第３の照明手段１５の光軸Ｐ３及び第４の照明手段１６の光軸Ｐ４と被清掃面とがなす角度Ｘ４が１５°≦Ｘ４≦３５°となるように吸込具本体５の前部に配置されていることが好ましい。
【００７７】
以下、第３の照明手段１５の光軸Ｐ３及び第４の照明手段１６の光軸Ｐ４と被清掃面とがなす角度Ｘ４について、上述した実施の形態１における第１の照明手段１２の光軸Ｐ１
及び第２の照明手段１３の光軸Ｐ２と被清掃面とがなす角度Ｘ２に関する実験と同様に、実験を行った。
【００７８】
実験は、上述した実施の形態１における第１の照明手段１２の光軸Ｐ１及び第２の照明手段１３の光軸Ｐ２と被清掃面とがなす角度Ｘ２に関する実験と同様に、測定領域Ｙにおいて、第１の照明手段１２から照射された光、または、第２の照明手段１３から照射された光が当たらない領域（以下、「暗部領域」という）が測定領域Ｙの面積に占める割合を計測するとともに、被清掃面を木床とし、第３の照明手段１５の光軸Ｐ３及び第４の照明手段１６の光軸Ｐ４と被清掃面とがなす角度Ｘ４を０°≦Ｘ４＜９０°未満の範囲内で０°から５°間隔で変化させて行った。また、第１の照明手段１２及び第２の照明手段１３は、第１の照明手段１２の光軸Ｐ１と第２の照明手段１３の光軸Ｐ２とがなす角度Ｘ１が６０°≦Ｘ１≦１２０°となる範囲で５°間隔で変化させるとともに、第１の照明手段１２の光軸Ｐ１及び第２の照明手段１３の光軸Ｐ２と被清掃面とがなす角度Ｘ２を１５°≦Ｘ２≦３５°の範囲で５°間隔で変化させて実験を行った。さらに、第３の照明手段１５の光軸Ｐ３と第４の照明手段１６の光軸Ｐ４とがなす角度Ｘ３を０°≦Ｘ３＜１８０°の範囲で０°から５°間隔で変化させて行った。また、第１の照明手段１２、第２の照明手段１３、第３の照明手段１５、及び、第４の照明手段１６は、第１の照明手段１２、第２の照明手段１３、第３の照明手段１５、及び、第４の照明手段１６の半値角を変化させて実験を行った。さらに、少なくとも、第１の照明手段１２と第２の照明手段１３、第３の照明手段１５と第４の照明手段１６、とは、半値角、光度、及び、取り付け位置が同一となるようにした。
【００７９】
第３の照明手段１５の光軸Ｐ３及び第４の照明手段１６の光軸Ｐ４と被清掃面とがなす角度Ｘ４をＸ４＜１５°に設定した場合、特に、第１の照明手段１２の光軸Ｐ１と第２の照明手段１３の光軸Ｐ２とがなす角度Ｘ１を６０°≦Ｘ１≦１２０°となるように設定し、かつ、第１の照明手段１２の光軸Ｐ１及び第２の照明手段１３の光軸Ｐ２と被清掃面とがなす角度Ｘ２を１５°≦Ｘ２≦３５°となるように設定した際に、吸込具本体５の左右の端部付近に形成されていた暗部領域を低減することができず、第１の照明手段１２の光軸Ｐ１と第２の照明手段１３の光軸Ｐ２とがなす角度Ｘ１を６０°≦Ｘ１≦１２０°となるように設定し、かつ、第１の照明手段１２の光軸Ｐ１及び第２の照明手段１３の光軸Ｐ２と被清掃面とがなす角度Ｘ２を１５°≦Ｘ２≦３５°となるように設定した場合に比べ、第１の照明手段１２、第２の照明手段１３、第３の照明手段１５、または、第４の照明手段１６から照射された光によって測定領域Ｙの広範囲を照明することができなかった。
【００８０】
また、第３の照明手段１５の光軸Ｐ３及び第４の照明手段１６の光軸Ｐ４と被清掃面とがなす角度Ｘ４をＸ４＞３５°に設定した場合、特に、第１の照明手段１２の光軸Ｐ１と第２の照明手段１３の光軸Ｐ２とがなす角度Ｘ１を６０°≦Ｘ１≦１２０°となるように設定し、かつ、第１の照明手段１２の光軸Ｐ１及び第２の照明手段１３の光軸Ｐ２と被清掃面とがなす角度Ｘ２を１５°≦Ｘ２≦３５°となるように設定した際に、吸込具本体５の前端部から遠い位置に形成されていた暗部領域を低減することができず、第１の照明手段１２の光軸Ｐ１と第２の照明手段１３の光軸Ｐ２とがなす角度Ｘ１を６０°≦Ｘ１≦１２０°となるように設定し、かつ、第１の照明手段１２の光軸Ｐ１及び第２の照明手段１３の光軸Ｐ２と被清掃面とがなす角度Ｘ２を１５°≦Ｘ２≦３５°となるように設定した場合に比べ、第１の照明手段１２、第２の照明手段１３、第３の照明手段１５、または、第４の照明手段１６から照射された光によって測定領域Ｙの広範囲を照明することができなかった。また、上述した実施の形態１における第１の照明手段１２の光軸Ｐ１及び第２の照明手段１３の光軸Ｐ２と被清掃面とがなす角度Ｘ２に関する実験と同様に、第３の照明手段１５の光軸Ｐ３及び第４の照明手段１６の光軸Ｐ４と被清掃面とがなす角度Ｘ４をＸ４＞３５°に設定した場合、測定領域Ｙにおける第３の照明手段１５及び第４の照明手段１６から照射された光によって照明されている領域において、第３の照明手段１５及び
第４の照明手段１６から照射された光が被清掃面で反射されてしまい、第３の照明手段１５及び第４の照明手段１６から照射された光によって照明されている領域内にある塵埃を確実に視認できない場合があった。
【００８１】
一方、第３の照明手段１５の光軸Ｐ３及び第４の照明手段１６の光軸Ｐ４と被清掃面とがなす角度Ｘ４を１５°≦Ｘ４≦３５°の範囲で設定した場合、第１の照明手段１２の光軸Ｐ１と第２の照明手段１３の光軸Ｐ２とがなす角度Ｘ１を６０°≦Ｘ１≦１２０°となるように設定し、かつ、第１の照明手段１２の光軸Ｐ１及び第２の照明手段１３の光軸Ｐ２と被清掃面とがなす角度Ｘ２を１５°≦Ｘ２≦３５°となるように設定した場合に比べ、測定領域Ｙに形成される暗部領域の割合を３０％未満に抑えることができ、第１の照明手段１２、第２の照明手段１３、第３の照明手段１５、または、第４の照明手段１６から照射された光によって測定領域Ｙの広範囲を照明することができたとともに、第３の照明手段１５及び第４の照明手段１６から照射された光が被清掃面で反射されてしまうことを十分に防止できた。そのため、第１の照明手段１２の光軸Ｐ１と第２の照明手段１３の光軸Ｐ２とがなす角度Ｘ１を６０°≦Ｘ１≦１２０°となるように設定し、かつ、第１の照明手段１２の光軸Ｐ１及び第２の照明手段１３の光軸Ｐ２と被清掃面とがなす角度Ｘ２を１５°≦Ｘ２≦３５°となるように設定した場合に比べ、測定領域Ｙでの塵埃の視認性をさらに向上させることができ、測定領域Ｙにおける塵埃の取り残しをさらに十分に防止することができた。また、第１の照明手段１２の光軸Ｐ１と第２の照明手段１３の光軸Ｐ２とがなす角度Ｘ１を６０°≦Ｘ１≦１２０°となるように設定し、かつ、第１の照明手段１２の光軸Ｐ１及び第２の照明手段１３の光軸Ｐ２と被清掃面とがなす角度Ｘ２を１５°≦Ｘ２≦３５°となるように設定するとともに、第３の照明手段１５の光軸Ｐ３と第４の照明手段１６の光軸Ｐ４とがなす角度Ｘ３を１０°≦Ｘ３≦４０°に設定し、かつ、第３の照明手段１５の光軸Ｐ３及び第４の照明手段１６の光軸Ｐ４と被清掃面とがなす角度Ｘ４を１５°≦Ｘ４≦３５°に設定した場合、測定領域Ｙに形成される暗部領域の割合を２０％未満に抑えることができ、第１の照明手段１２、第２の照明手段１３、第３の照明手段１５、または、第４の照明手段１６から照射された光によって測定領域Ｙの広範囲を照明することができ、測定領域Ｙにおける塵埃の取り残しをさらに十分に防止することができた。
【００８２】
以上より、第１の照明手段１２の光軸Ｐ１と第２の照明手段１３の光軸Ｐ２とがなす角度Ｘ１を６０°≦Ｘ１≦１２０°となるように設定し、かつ、第１の照明手段１２の光軸Ｐ１及び第２の照明手段１３の光軸Ｐ２と被清掃面とがなす角度Ｘ２を１５°≦Ｘ２≦３５°となるように設定した場合、第３の照明手段１５及び第４の照明手段１６は、第３の照明手段１５の光軸Ｐ３及び第４の照明手段１６の光軸Ｐ４と被清掃面とがなす角度Ｘ４を１５°≦Ｘ４≦３５°に設定されていることが好ましい。また、第１の照明手段１２の光軸Ｐ１と第２の照明手段１３の光軸Ｐ２とがなす角度Ｘ１を６０°≦Ｘ１≦１２０°となるように設定し、かつ、第１の照明手段１２の光軸Ｐ１及び第２の照明手段１３の光軸Ｐ２と被清掃面とがなす角度Ｘ２を１５°≦Ｘ２≦３５°となるように設定されている場合、第３の照明手段１５及び第４の照明手段１６は、第３の照明手段１５の光軸Ｐ３と第４の照明手段１６の光軸Ｐ４とがなす角度Ｘ３が１０°≦Ｘ３≦４０°に設定され、かつ、第３の照明手段１５の光軸Ｐ３及び第４の照明手段１６の光軸Ｐ４と被清掃面とがなす角度Ｘ４が１５°≦Ｘ４≦３５°に設定されていることが好ましい。
【００８３】
以上のように構成された電気掃除機用吸込具２及びこの電気掃除機用吸込具２を備えた電気掃除機１００について、以下、その動作及び作用を説明する。
【００８４】
上述した実施の形態１と同様に、使用者により電気掃除機１００の運転を開始され、電動送風機１ａ及び電動機９が駆動されると、被清掃面上の塵埃が回転ブラシ８によって掻きあげられるとともに、電動送風機１ａで発生された吸引風によって、被清掃面上の塵埃
が電気掃除機用吸込具２に形成された吸込口５ａから吸引される。電気掃除機用吸込具２の吸込口５ａから吸引された塵埃は、吸込具本体５、接続管７、延長管４、及び、ホース３を介して、掃除機本体１の前部に形成された吸引口１ｃから掃除機本体１の内部へと流入し、集塵部１ｂで塵埃が捕集される。
【００８５】
このとき、使用者により第１の照明手段１２、第２の照明手段１３、第３の照明手段１５、及び、第４の照明手段１６が点灯されると、第１の照明手段１２、第２の照明手段１３、第３の照明手段１５、または、第４の照明手段１６から照射された光によって、吸込具本体５の前方の被清掃面が広範囲に亘って照明される。ここで、第１の照明手段１２、第２の照明手段１３、第３の照明手段１５、及び、第４の照明手段１６は、使用者が電気掃除機１００の運転を開始した際に自動的に点灯されるように構成されていてもよく、また、電気掃除機用吸込具２や把手部３ｂに第１の照明手段１２及び第２の照明手段１３を点灯するためのスイッチ（図示せず）を形成し、この操作部が使用者により操作された際に、第１の照明手段１２及び第２の照明手段１３が点灯するように構成されていてもよい。また、第１の照明手段１２及び第２の照明手段１３と、第３の照明手段１５及び第４の照明手段１６とは同時に点灯されてもよく、また、別々に点灯されてもよい。
【００８６】
使用者により第１の照明手段１２、第２の照明手段１３、第３の照明手段１５、及び、第４の照明手段１６が点灯され、第１の照明手段１２、第２の照明手段１３、第３の照明手段１５、及び、第４の照明手段１６から照射された光によって、吸込具本体５の前方の被清掃面が照明されると、第１の照明手段１２、第２の照明手段１３、第３の照明手段１５、及び、第４の照明手段１６から照射された光が吸込具本体５の前方の被清掃面上に存在する塵埃に照射され、被清掃面上に塵埃の影が発生する。被清掃面上に発生した塵埃の影は、実際の塵埃の大きさよりも大きなものとなるため、通常、使用者の肉眼では視認することが困難な大きさの塵埃についても、使用者の肉眼で視認することが可能となる。
【００８７】
本実施の形態においては、第１の照明手段１２の光軸Ｐ１と第２の照明手段１３の光軸Ｐ２とが吸込具本体５の前方で交差するとともに、第３の照明手段１５の光軸Ｐ３と第４の照明手段１６の光軸Ｐ４とが、第１の照明手段１２の光軸Ｐ１と第２の照明手段１３の光軸Ｐ２との交点よりも前方で交差するように構成されているため、第１の照明手段１２及び第２の照明手段１３のみで被清掃面を照明した場合に比べ、吸込具本体５の前方の被清掃面をより広範囲に亘って照明することができる。そのため、吸込具本体５の前方の被清掃面上に第１の照明手段１２、第２の照明手段１３、第３の照明手段１５、及び、第４の照明手段１６から照射された光によって照明されない部分が形成されることをさらに十分に防止することができるため、使用者が被清掃面上の塵埃をさらに容易に視認することができ、電気掃除機用吸込具２及び電気掃除機１００の使い勝手をさらに向上させることができる。また、吸込具本体５の前方の被清掃面のうち、第１の照明手段１２、第２の照明手段１３、第３の照明手段１５、及び、第４の照明手段１６から照射される光のうち、少なくとも２つの光によって照明される領域においては、照明される光の方向に塵埃の影がそれぞれ形成されることになる。そのため、吸込具本体５の前方の被清掃面のうち、第１の照明手段１２、第２の照明手段１３、第３の照明手段１５、及び、第４の照明手段１６から照射される光のうち、少なくとも２つの光によって照明される領域においては、吸込具本体５の前方の被清掃面のうち、第１の照明手段１２、第２の照明手段１３、第３の照明手段１５、または、第４の照明手段１６から照射される光の何れか一つの光のみで照射される領域に比べ、被清掃面上に存在する塵埃の視認性を向上させることができる。
【００８８】
また、本実施の形態においては、第１の照明手段１２の光軸Ｐ１及び第２の照明手段１３の光軸Ｐ２と被清掃面とが交差するとともに、第３の照明手段１５の光軸Ｐ３及び第４の照明手段１６の光軸Ｐ４と被清掃面とが交差するように構成されているため、第１の照明手段１２及び第２の照明手段１３のみで被清掃面を照明した場合に比べ、第１の照明手
段１２、第２の照明手段１３、第３の照明手段１５、及び、第４の照明手段１６から照射される光によって、吸込具本体５の前方の被清掃面をより広範囲に亘って照明することができる。そのため、吸込具本体５の前方の被清掃面上に第１の照明手段１２、第２の照明手段１３、第３の照明手段１５、または、第４の照明手段１６から照射された光によって照明されない部分が形成されることをさらに十分に防止することができるため、被清掃面上の塵埃の視認性をさらに向上させることができ、電気掃除機用吸込具２及び電気掃除機１００の使い勝手をさらに向上させることができる。
【００８９】
さらに、本実施の形態においては、第１の照明手段１２の光軸Ｐ１と第２の照明手段１３の光軸Ｐ２とがなす角度Ｘ１を６０°≦Ｘ１≦１２０°となるように設定し、かつ、第１の照明手段１２の光軸Ｐ１及び第２の照明手段１３の光軸Ｐ２と被清掃面とがなす角度Ｘ２を１５°≦Ｘ２≦３５°となるように設定するとともに、第３の照明手段１５の光軸Ｐ３と第４の照明手段１６の光軸Ｐ４とがなす角度Ｘ３を１０°≦Ｘ３≦４０°に設定し、かつ、第３の照明手段１５の光軸Ｐ３及び第４の照明手段１６の光軸Ｐ４と被清掃面とがなす角度Ｘ４を１５°≦Ｘ４≦３５°に設定しているため、第１の照明手段１２及び第２の照明手段１３のみで被清掃面を照明した場合に比べ、吸込具本体５の前方の被清掃面をさらに広範囲に亘って照明することができ、吸込具本体５の前方の被清掃面上に第１の照明手段１２、第２の照明手段１３、第３の照明手段１５、または、第４の照明手段１６から照射された光によって照明されない部分が形成されることを十分に防止することができる。また、吸込具本体５の前方の被清掃面のうち、第１の照明手段１２、第２の照明手段１３、第３の照明手段１５、または、第４の照明手段１６によって照明されている領域において、第１の照明手段１２、第２の照明手段１３、第３の照明手段１５、または、第４の照明手段１６から照射された光が被清掃面で反射され、反射された光が使用者の目に向かうことを十分に防止することができる。そのため、吸込具本体５の前方の被清掃面上に存在する塵埃の視認性を向上させることができ、電気掃除機用吸込具２及び電気掃除機１００の使い勝手を向上させることができる。
【産業上の利用可能性】
【００９０】
本発明の電気掃除機用吸込具及びそれを用いた電気掃除機は、被清掃面上の塵埃の視認性を向上させることができ、電気掃除機用吸込具の使い勝手を向上させることができるとともに、電気掃除機の使い勝手を向上させることができるため、家庭用電気掃除機及び産業用電気掃除機の分野・用途に好適に適用することができる。
【符号の説明】
【００９１】
１  掃除機本体
１ａ  電動送風機
１ｂ  集塵部
１ｃ  吸引口
２  電気掃除機用吸込具
３  ホース
３ａ  接続パイプ
３ｂ  把手部
３ｃ  先端パイプ
４  延長管
５  吸込具本体
５ａ  吸込口
６  補助吸込具
７  接続管
７ａ  第１の接続管部
７ｂ  第２の接続管部
８  回転ブラシ
９  電動機
１０  ベルト
１１  着脱操作部
１１ａ  操作部
１１ｂ  係合部
１１ｃ  押上部
１２  第１の照明手段
１３  第２の照明手段
１４  窓部材
１５  第３の照明手段
１６  第４の照明手段
１００  電気掃除機
【図１】
0005909639.tif 000002
【図２】
0005909639.tif 000003
【図３】
0005909639.tif 000004
【図４】
0005909639.tif 000005
【図５】
0005909639.tif 000006
【図６】
0005909639.tif 000007
【図７】
0005909639.tif 000008